(57)【要約】【課題】低コストで酸化物単結晶の大口径化及び長尺化に対応できる酸化物単結晶の育成装置を提供すること。【解決手段】酸化物単結晶の育成装置１００は、加熱空間ＳＰを囲む断熱材７と、加熱空間ＳＰ内に配置されるルツボ１と、加熱空間ＳＰ内に配置される抵抗加熱方式のヒータ４と、加熱空間ＳＰ内に配置される中間環状板部材７Ｃとを有する。加熱空間ＳＰは、ルツボ１と中間環状板部材７Ｃによって上部加熱空間ＳＰ１と下部加熱空間ＳＰ２に熱的に分離される。抵抗加熱方式のヒータ４は、上部加熱空間ＳＰ１に配置される上段ヒータ４Ｕと、下部加熱空間ＳＰ２に配置される中段ヒータ４Ｍ及び下段ヒータ４Ｌとを含む。【選択図】図１
2018111633.tif 000002
【特許請求の範囲】
【請求項１】
酸化物単結晶の育成装置であって、
加熱空間を囲む耐火物と、
前記加熱空間内に配置されるルツボと、
前記加熱空間内に配置される抵抗加熱方式のヒータと、
前記加熱空間内に配置される遮熱板と、を有し、
前記加熱空間は、前記ルツボと前記遮熱板によって上部加熱空間と下部加熱空間に熱的に分離され、
前記ヒータは、前記上部加熱空間に配置される上部ヒータと、前記下部加熱空間に配置される下部ヒータとを含む、
育成装置。
【請求項２】
前記遮熱板は、前記耐火物の内壁から前記ルツボに向かって延び、前記ルツボの上端と接する、
請求項１に記載の育成装置。
【請求項３】
前記上部加熱空間と前記下部加熱空間とは気密に分離されている、
請求項１又は２に記載の育成装置。
【請求項４】
前記酸化物単結晶は、ニオブ酸リチウム、タンタル酸リチウム、ガドリニウム・ガリウム・ガーネット、及び、サファイアの単結晶を含む、
請求項１乃至３の何れか一項に記載の育成装置。
【請求項５】
請求項１乃至４の何れか一項に記載の育成装置を用いて前記酸化物単結晶を育成する方法。
【請求項６】
前記下部ヒータで前記ルツボを加熱して原料を融解する工程と、
シード棒の先端に取り付けられた種結晶を前記ルツボ内の原料の融液に接触させる工程と、
前記シード棒を回転させながら引き上げる工程と、
前記上部ヒータで前記シード棒の先端に形成された前記酸化物単結晶を加熱する工程と、を有する、
請求項５に記載の方法。
【発明の詳細な説明】
【技術分野】
【０００１】
本発明は、酸化物単結晶の育成装置及び育成方法に関する。
【背景技術】
【０００２】
従来、表面弾性波デバイス、光変調デバイス等の材料としてニオブ酸リチウムの単結晶が多く利用されてきた。そして、単結晶の育成には、高周波誘導加熱方式のチョクラスキー式育成法（以下、「Ｃｚ法」とする。）を採用する育成装置が多く利用されてきた。しかし、高周波誘導加熱方式では、高周波電源、育成炉、ワークコイル等の水冷が必要なために単結晶の製造コストが高くなるという問題があった。また、育成炉内の温度勾配が急峻で単結晶に欠陥が発生し易いという問題があった。これらの問題を解決する手段として、抵抗加熱方式を採用する育成装置が知られている（特許文献１参照。）。特許文献１は、抵抗加熱方式のＣｚ法においても、高周波誘導加熱方式のＣｚ法と同様に、ニオブ酸リチウムの単結晶を育成できることを示している。
【先行技術文献】
【特許文献】
【０００３】
【特許文献１】特開２００３−２２１２９９号公報
【発明の概要】
【発明が解決しようとする課題】
【０００４】
近年、表面弾性波デバイスの市場が拡大している。そのため、表面弾性波デバイスの材料となるニオブ酸リチウムの単結晶の生産量を確保するため、単結晶の大口径化及び長尺化が行われている。
【０００５】
しかしながら、単結晶の大口径化及び長尺化は、単結晶の良品率を低下させる原因となっている。具体的には、単結晶の大口径化は、原料を溶融するためのルツボ径の拡大を必要とする。そして、ルツボ径の拡大は、融液表面の中央部における径方向の温度勾配を緩やかにし、シーディング又は肩部（円錐状に形成される単結晶の上端部分）育成の際における単結晶の急成長を引き起こす場合がある。また、融液の自然対流の低下をもたらし、直胴部（ほぼ円柱状に形成される単結晶の部分）育成の際における単結晶の曲がりを引き起こす場合がある。更に、単結晶の外周部と内部の間で大きな温度差をもたらし、冷却中の熱歪に起因するクラックを引き起こす場合がある。また、単結晶の長尺化は、引き上げ距離の延長をもたらし、単結晶の上端と下端の間で大きな温度差をもたらし、冷却中の熱歪に起因するクラックを引き起こす場合がある。
【０００６】
そのため、低コストで酸化物単結晶の大口径化及び長尺化に対応できる、抵抗加熱方式を採用した、酸化物単結晶の育成装置を提供することが望ましい。
【課題を解決するための手段】
【０００７】
本発明の実施形態に係る酸化物単結晶の育成装置は、酸化物単結晶の育成装置であって、加熱空間を囲む耐火物と、前記加熱空間内に配置されるルツボと、前記加熱空間内に配置される抵抗加熱方式のヒータと、前記加熱空間内に配置される遮熱板と、を有し、前記加熱空間は、前記ルツボと前記遮熱板によって上部加熱空間と下部加熱空間に熱的に分離され、前記ヒータは、前記上部加熱空間に配置される上部ヒータと、前記下部加熱空間に配置される下部ヒータとを含む。
【発明の効果】
【０００８】
上述の手段により、低コストで酸化物単結晶の大口径化と長尺化に対応できる、抵抗加熱方式を採用した、酸化物単結晶の育成装置が提供される。
【図面の簡単な説明】
【０００９】
【図１】本発明の実施形態に係る育成装置の縦断面図である。
【図２】図１のＩＩ−ＩＩ線で示す平面を上から見た横断面図である。
【図３】ルツボよりも上にある部材が取り外された状態にある図１の育成装置の上面図である。
【図４】ルツボと中間環状板部材との位置関係を示す図である。
【発明を実施するための形態】
【００１０】
本発明の実施形態に係る育成装置は、Ｃｚ法を利用した酸化物単結晶の育成（製造）に用いる抵抗加熱方式の育成装置である。酸化物単結晶は、ニオブ酸リチウム（以下、「ＬＮ」とする。）、タンタル酸リチウム（以下、「ＬＴ」とする。）、ガドリニウム・ガリウム・ガーネット（以下、「ＧＧＧ」とする。）、サファイア等を含む。酸化物単結晶は、大気中又は不活性ガス雰囲気中で育成される。
【００１１】
Ｃｚ法は、ある結晶方位に従って切り出された種結晶を同一組成の融液に浸漬し、回転しながら徐々に引上げることによって、種結晶の性質を伝播しながら大口径化して単結晶を製造する方法である。種結晶は、例えば、断面の一辺が５~１０ｍｍ程度の直方体単結晶であり、シード棒の先端に取り付けられている。そして、シード棒の昇降により、融液への浸漬、引き上げ等が行われる。
【００１２】
ここで、図１〜図３を参照し、本発明の実施形態に係る育成装置１００について説明する。図１は、育成装置１００の縦断面図である。図２は、図１のＩＩ−ＩＩ線で示す平面を上（＋Ｚ方向）から見た横断面図である。図３は、ルツボ１よりも上にある部材が取り外された状態にある育成装置１００の上面図である。
【００１３】
育成装置１００は、ルツボ１、ルツボ台２、ルツボ軸３、ヒータ４、断熱材７、架台１３、外壁１５、制御装置５０、回転昇降装置５１、及び電源５２を含む。
【００１４】
ルツボ１は、酸化物単結晶１１の原料を保持するための容器である。原料は、単結晶化の対象となる金属等が溶融した融液１２の状態で保持される。ルツボ１は、例えば、耐熱性のある白金、インジウム等の金属で作製される。
【００１５】
ルツボ台２は、ルツボ１を載せる台である。ルツボ軸３は、ルツボ台２を支える軸である。ルツボ軸３は、ルツボ台２に載せられたルツボ１を回転させるために回転可能であってもよい。また、ルツボ台２に載せられたルツボ１を上下動させるために上下動可能であってもよい。
【００１６】
ヒータ４は、原料、ルツボ１、育成された酸化物単結晶１１等を加熱する装置である。図１の例では、ヒータ４は、鉛直方向（Ｚ軸方向）に沿って３段構成となるように配置されている。具体的には、上段ヒータ４Ｕ、中段ヒータ４Ｍ、及び下段ヒータ４Ｌを含む。
【００１７】
断熱材７は、加熱空間ＳＰを囲む耐火物である。図１の例では、ルツボ１及びヒータ４を取り囲むように設置されている。断熱材７は、例えば、ジルコニア、アルミナ、白金等で形成されている。
【００１８】
具体的には、断熱材７は、上部環状板部材７Ａ、上部円筒状部材７Ｂ、中間環状板部材７Ｃ、下部円筒状部材７Ｄ、及び、下部板部材７Ｅを含む。上部環状板部材７Ａ、上部円筒状部材７Ｂ、中間環状板部材７Ｃ、下部円筒状部材７Ｄ、及び、下部板部材７Ｅのうちの少なくとも２つは一体的に形成されていてもよい。例えば、上部円筒状部材７Ｂ、及び中間環状板部材７Ｃは一体的に形成されていてもよい。或いは、上部環状板部材７Ａ、上部円筒状部材７Ｂ、及び中間環状板部材７Ｃは一体的に形成されていてもよい。また、下部円筒状部材７Ｄ、及び、下部板部材７Ｅは一体的に形成されていてもよい。
【００１９】
図１の例では、ルツボ１、上部環状板部材７Ａ、上部円筒状部材７Ｂ、及び中間環状板部材７Ｃは、上部加熱空間ＳＰ１を定める。また、ルツボ１、中間環状板部材７Ｃ、下部円筒状部材７Ｄ、及び下部板部材７Ｅは、下部加熱空間ＳＰ２を定める。ルツボ１の上端は、中間環状板部材７Ｃの内周端のところで中間環状板部材７Ｃの下面（−Ｚ側面）と接している。すなわち、加熱空間ＳＰは、ルツボ１及び中間環状板部材７Ｃによって上部加熱空間ＳＰ１と下部加熱空間ＳＰ２に熱的に分離される。中間環状板部材７Ｃは、環状の遮熱板として機能する。
【００２０】
ルツボ１と中間環状板部材７Ｃとは、図４に示すような位置関係であってもよい。図４は、ルツボ１と中間環状板部材７Ｃとの位置関係の別の例を示す図であり、図１におけるルツボ１の周辺の拡大図に相当する。
【００２１】
具体的には、図４（Ａ）は、中間環状板部材７Ｃの内径Ｄ１がルツボ１の内径Ｄ２よりも小さい場合の位置関係を示す。図４（Ｂ）は、ルツボ１の上端のところで中間環状板部材７Ｃの内周端面とルツボ１の外側表面とが接する場合の位置関係を示す。図４（Ｃ）は、ルツボ１の中央部のところで中間環状板部材７Ｃの内周端面とルツボ１の外側表面とが接する場合の位置関係を示す。図４（Ｃ）の例では、ルツボ１の上端は、中間環状板部材７Ｃの上面（＋Ｚ側面）よりも上方（＋Ｚ方向）に距離Ｄ３だけ突出している。図４（Ｄ）は、中間環状板部材７Ｃの内周端のところで下方（−Ｚ方向）に突出する環状突出部７Ｃ１の外周端面とルツボ１の上端部分の内側表面とが接する場合の位置関係を示す。このように、ルツボ１と中間環状板部材７Ｃとは、上部加熱空間ＳＰ１と下部加熱空間ＳＰ２とを気密に分離できるように配置されている。
【００２２】
育成された酸化物単結晶１１は、酸化物単結晶１１の引き上げが進むにつれてルツボ１から遠ざかる。そのため、鉛直方向における酸化物単結晶１１内の温度勾配が大きくなり酸化物単結晶１１の割れ等の不具合が発生するおそれがある。この不具合の発生を抑制するために、上部加熱空間ＳＰ１内には上部ヒータとしての上段ヒータ４Ｕが設置されている。上部加熱空間ＳＰ１内での適切な温度分布を維持するためである。一方で、下部加熱空間ＳＰ２内には下部ヒータとしての中段ヒータ４Ｍ及び下段ヒータ４Ｌが配置されている。ルツボ１を加熱して原料を融解させるためである。また、結晶育成中においては、融液１２の自然対流を促すためである。図１の例では、上段ヒータ４Ｕは、ルツボ１よりも高い位置に配置されている。中段ヒータ４Ｍは、ルツボ１と略同じ高さに配置されている。下段ヒータ４Ｌは、ルツボ１よりも低い位置に配置されている。図３は、ルツボ１よりも上にある部材、すなわち、上部環状板部材７Ａ、上部円筒状部材７Ｂ、中間環状板部材７Ｃ、及び上段ヒータ４Ｕが取り外された状態にある育成装置１００の上面図である。
【００２３】
架台１３は、育成装置１００の本体部を支持するための支持台である。架台１３の上には、本体部としての断熱材７及び外壁１５が載置されている。
【００２４】
外壁１５は、熱を遮断する部材であり、断熱材７を囲むように配置されている。図１の例では、円筒形状を有し、ルツボ１及びヒータ４のそれぞれが発する高熱が外部に伝わるのを遮断する。外壁１５は、所定の鉛直断面で水平方向等に分割可能であり、一部の取り外しによって内部のルツボ１、ヒータ４等を露出させることができる構造となっている。所定の水平断面で鉛直方向に分割可能であってもよい。
【００２５】
制御装置５０は、育成装置１００の全体的な制御を行うための手段であり、結晶育成プロセスを含め、育成装置１００の全体の動作を制御する。図１の例では、制御装置５０は、ＣＰＵ、ＲＯＭ、ＲＡＭ等を備えたマイクロコンピュータである。但し、ＡＳＩＣ等の電子回路で構成されていてもよい。制御装置５０は、例えば、外壁１５の外側に設けられ、ヒータ４、回転昇降装置５１等を制御する。図１の破線矢印は、制御信号を伝達する信号線を表している。
【００２６】
回転昇降装置５１は、シード棒１０を回転させながら昇降させることができる装置である。図１の例では、回転昇降装置５１は、ルツボ１の上方（＋Ｚ方向）に設けられている。そして、回転装置及び昇降装置として機能するモータを含む。回転装置として機能するモータと昇降装置として機能するモータとを別々に含んでいてもよい。シード棒１０は、種結晶９を保持する種結晶保持部を下端部に有する。
【００２７】
回転昇降装置５１は、ルツボ１に入れられた原料（融液１２）の表面に種結晶９を接触させ、回転しながら種結晶９を引き上げる。
【００２８】
電源５２は、育成装置１００に電力を供給する装置である。図１の例では、電源５２は、外壁１５の外側に設けられ、ヒータ４、回転昇降装置５１等に電力を供給している。図１の実線矢印は電力線を表している。
【００２９】
次に、育成装置１００を用いた酸化物単結晶１１の育成方法について説明する。最初に、作業者は、ＬＮ、ＬＴ、ＧＧＧ、サファイア等の酸化物単結晶１１の原料をルツボ１に投入する。その後、ヒータ４でルツボ１内の原料を加熱して融解する。その後、回転昇降装置５１でシード棒１０の先端に取り付けられた種結晶９をルツボ１内の融液１２の表面に接触させる。以下では、この工程をシーディングと称する。
【００３０】
その後、回転昇降装置５１で種結晶９を回転させながら徐々に上方へ引き上げる。加熱温度、回転数、引き上げ速度等を制御し、酸化物単結晶１１の肩部及び直胴部を育成する。その後、酸化物単結晶１１が所定の長さになったところで、引き上げ速度等を制御し、融液１２の表面と育成した酸化物単結晶１１とを切り離す。その後、切り離した酸化物単結晶１１を冷却して酸化物単結晶１１の育成を完了させる。
【００３１】
育成装置１００を用いた上述の育成方法では、例えば、シーディング及び肩部育成の際には、上段ヒータ４Ｕは使用されず、中段ヒータ４Ｍ及び下段ヒータ４Ｌのみが使用される。また、中間環状板部材７Ｃは、下部加熱空間ＳＰ２から上部加熱空間ＳＰ１へ熱が伝わるのを抑制し、上部加熱空間ＳＰ１の温度が必要以上に高くなるのを防止する。そのため、上部加熱空間ＳＰ１における上下方向の温度勾配は大きくなり易い。また、融液１２の表面の中央部近傍は温度が上昇し難い。
【００３２】
一方、ルツボ１は、中段ヒータ４Ｍ及び下段ヒータ４Ｌによって加熱されて温度が上昇する。そのため、融液１２の表面の周縁部近傍は温度が上昇し易い。従って、融液１２の表面の径方向の温度勾配は大きくなり易い。その結果、酸化物単結晶１１の急成長が抑制される。
【００３３】
酸化物単結晶１１の肩部が形成された後で直胴部の育成が開始されると、上段ヒータ４Ｕが使用され、上部加熱空間ＳＰ１が保温される。すなわち、融液１２の表面から引き上げられた酸化物単結晶１１が保温される。
【００３４】
そのため、上述の育成装置１００は、大口径で長尺な酸化物単結晶１１を育成する場合であっても、育成中に酸化物単結晶１１が曲がってしまうのを防止できる。また、酸化物単結晶１１の内外の温度差によるクラック、融液１２の対流の不安定さから生じる多結晶化によるクラック、冷却時の歪によるクラック等の発生を抑制できる。
【実施例】
【００３５】
次に、本発明の実施例について比較例を挙げて具体的に説明する。以下の説明では、一例として、ニオブ酸リチウムの単結晶の育成方法について説明する。
【００３６】
図１に示すように、ルツボ軸３に支えられたルツボ台２の上には白金製のルツボ１が配置されている。そして、ルツボ１の中にはニオブ酸リチウムの原料が充填されている。ルツボ１の周囲には抵抗加熱方式のヒータ４が配置されている。ヒータ４は、金属製で且つ図２及び図３に示すような円筒形状を有する。ヒータ４は、上段ヒータ４Ｕ、中段ヒータ４Ｍ、及び下段ヒータ４Ｌを含む。中段ヒータ４Ｍと下段ヒータ４Ｌは一体化されていてもよい。ヒータ４の外側、上側、及び下側はジルコニア製又はアルミナ製の断熱材７で覆われている。また、上段ヒータ４Ｕと中段ヒータ４Ｍの間にはジルコニア製、アルミナ製又は白金製の中間環状板部材７Ｃが配置されている。中間環状板部材７Ｃの下面（−Ｚ側面）は、ルツボ１の上端と接している。そのため、断熱材７で囲まれた加熱空間ＳＰは、ルツボ１及び中間環状板部材７Ｃによって上部加熱空間ＳＰ１と下部加熱空間ＳＰ２に熱的に遮断されている。すなわち、中段ヒータ４Ｍ及び下段ヒータ４Ｌによって加熱された下部加熱空間ＳＰ２内の雰囲気ガスの中間環状板部材７Ｃの上側（＋Ｚ側）への移動は、抑制され或いは防止される。その結果、育成装置１００は、比較的少ない電力で中段ヒータ４Ｍ及び下段ヒータ４Ｌを作動させてルツボ１を加熱しニオブ酸リチウムの原料を効率的に融解させることができる。
【００３７】
原料が融解した後、育成装置１００は、中段ヒータ４Ｍ及び下段ヒータ４Ｌの出力を制御し、融液１２をシーディングに適した温度に調整する。そして、融液１２がシーディングに適した温度になったときに白金製のシード棒１０を下降させ、シード棒１０の先端に取り付けられた種結晶９と融液１２とを接触させる。その後、シード棒１０を１〜２０ｒｐｍで回転させながら、２〜５ｍｍ／ｈの速度で鉛直上方（＋Ｚ方向）に引き上げることによって、種結晶９から連続的に延びるニオブ酸リチウム単結晶を取得する。
【００３８】
シーディング及び肩部育成の際には、ニオブ酸リチウム単結晶の急成長を抑えるために、融液１２の表面における径方向の温度勾配がある程度の大きさになっている必要がある。
【００３９】
育成装置１００は、中間環状板部材７Ｃによって下部加熱空間ＳＰ２から上部加熱空間ＳＰ１への熱の伝達を抑制して上部加熱空間ＳＰ１の温度の上昇を抑えることで、融液１２の表面における径方向の温度勾配を比較的急峻にすることができる。比較的低温の上部加熱空間ＳＰ１に接している融液１２の表面の中央部と、中段ヒータ４Ｍ及び下段ヒータ４Ｌによって直接的に加熱された比較的高温のルツボ１に接している融液１２の表面の周縁部との温度差を大きくできるためである。
【００４０】
このようにして、育成装置１００は、ニオブ酸リチウム単結晶の肩部形成の際に、ニオブ酸リチウム単結晶の急成長を抑制できる。
【００４１】
また、ニオブ酸リチウム単結晶の肩部が形成された後で直胴部が形成される際には、育成装置１００は、上段ヒータ４Ｕを作動させることで、ニオブ酸リチウム単結晶の引き上げの際に肩部が過度に冷却されてしまうのを防止できる。
【００４２】
このように、育成装置１００は、ニオブ酸リチウム単結晶の成長に応じて上段ヒータ４Ｕを適切に作動させることで、ニオブ酸リチウム単結晶が大口径で且つ長尺であっても、ニオブ酸リチウム単結晶を適切に育成できる。具体的には、融液１２の表面における径方向の温度勾配を適切に維持し、融液１２の自然対流を適切に維持することで、ニオブ酸リチウム単結晶の育成中におけるニオブ酸リチウム単結晶の湾曲を防止できる。また、ニオブ酸リチウム単結晶の内外の温度差によるクラック、融液１２の対流の不安定さから生じる多結晶化によるクラック、冷却時の歪によるクラック等の発生を抑制或いは防止できる。
【００４３】
上述の通り、酸化物単結晶１１の育成装置１００は、加熱空間ＳＰを囲む耐火物としての断熱材７と、加熱空間ＳＰ内に配置されるルツボ１と、加熱空間ＳＰ内に配置される抵抗加熱方式のヒータ４と、加熱空間ＳＰ内に配置される遮熱板としての中間環状板部材７Ｃとを有する。加熱空間ＳＰは、ルツボ１と中間環状板部材７Ｃとによって上部加熱空間ＳＰ１と下部加熱空間ＳＰ２に熱的に分離されている。抵抗加熱方式のヒータ４は、上部加熱空間ＳＰ１に配置される上部ヒータとしての上段ヒータ４Ｕと、下部加熱空間ＳＰ２に配置される下部ヒータとしての中段ヒータ４Ｍ及び下段ヒータ４Ｌとを含む。
【００４４】
この構成により、抵抗加熱方式の育成装置１００は、低コストで酸化物単結晶１１の大口径化と長尺化に対応できる。具体的には、育成装置１００は、大口径で長尺な酸化物単結晶１１を育成する場合であっても、育成中に酸化物単結晶１１が曲がってしまうのを防止できる。また、酸化物単結晶１１の内外の温度差によるクラック、融液１２の対流の不安定さから生じる多結晶化によるクラック、冷却時の歪によるクラック等の発生を抑制できる。
【００４５】
中間環状板部材７Ｃは、断熱材７の内壁からルツボ１に向かって延び、ルツボ１の上端と接するように構成されている。すなわち、ルツボ１と中間環状板部材７Ｃとによって、加熱空間ＳＰが上部加熱空間ＳＰ１と下部加熱空間ＳＰ２とに分離されている。そのため、育成装置１００は、シーディング又は肩部育成の際に、下部加熱空間ＳＰ２から上部加熱空間ＳＰ１へ熱が伝わるのを抑制し、上部加熱空間ＳＰ１の温度が必要以上に高くなってしまうのを防止できる。その結果、融液１２の表面の径方向の温度勾配を大きくすることができ、シーディング又は肩部育成の際の酸化物単結晶１１の急成長を抑制できる。また、育成装置１００は、直胴部の育成の際には、上段ヒータ４Ｕによって上部加熱空間ＳＰ１を適切に保温できる。そのため、大口径で長尺な酸化物単結晶１１が育成される場合であっても、育成中に酸化物単結晶１１が曲がってしまうのを防止できる。また、上部加熱空間ＳＰ１における酸化物単結晶１１の内外の温度差によるクラック、融液１２の対流の不安定さから生じる多結晶化によるクラック、冷却時の歪によるクラック等の発生を抑制できる。
【００４６】
上部加熱空間ＳＰ１と下部加熱空間ＳＰ２とは気密に分離されていてもよい。この場合、育成装置１００は、中段ヒータ４Ｍ及び下段ヒータ４Ｌによって加熱された下部加熱空間ＳＰ２内の雰囲気ガスが上部加熱空間ＳＰ１に侵入するのを防止できる。その結果、育成装置１００は、比較的少ない電力で中段ヒータ４Ｍ及び下段ヒータ４Ｌを作動させてルツボ１を効率的に加熱しニオブ酸リチウムの原料を効率的に融解させることができる。
【００４７】
以上、本発明の好ましい実施例について詳説したが、本発明は、上述した実施例に限定されることはない。例えば、本発明の要旨を逸脱しない範囲において各部材の改良、構造の変更等が行われてもよい。
【００４８】
例えば、上述の実施例では、上部加熱空間ＳＰ１に上部ヒータとしての上段ヒータ４Ｕが配置され、下部加熱空間ＳＰ２に下部ヒータとしての中段ヒータ４Ｍ及び下段ヒータ４Ｌが配置されている。しかしながら、上部ヒータは、２段以上のヒータで構成されていてもよい。また、下部ヒータは、１段のヒータで構成されていてもよく、３段以上のヒータで構成されていてもよい。
【００４９】
また、上述の実施例では、ヒータ４は、円筒形状を有するが、円周方向で分離可能に構成されていてもよい。
【００５０】
また、育成装置１００は、ルツボ軸３を上昇させることで、ルツボ１の上端を中間環状板部材７Ｃの下面（−Ｚ側面）に接触させてもよい。
【符号の説明】
【００５１】
１・・・ルツボ  ２・・・ルツボ台  ３・・・ルツボ軸  ４・・・ヒータ  ４Ｕ・・・上段ヒータ  ４Ｍ・・・中段ヒータ  ４Ｌ・・・下段ヒータ  ７・・・断熱材  ７Ａ・・・上部環状板部材  ７Ｂ・・・上部円筒状部材  ７Ｃ・・・中間環状板部材  ７Ｄ・・・下部円筒状部材  ７Ｅ・・・下部板部材  ９・・・種結晶  １０・・・シード棒  １１・・・酸化物単結晶  １２・・・融液  １３・・・架台  １５・・・外壁  ５０・・・制御装置  ５１・・・回転昇降装置  ５２・・・電源
【図１】
2018111633.tif 000003
【図２】
2018111633.tif 000004
【図３】
2018111633.tif 000005
【図４】
2018111633.tif 000006